(57)【要約】【課題】  ＯＰＣ時とは異なる書き込み速度でデータ書き込みを行なうような場合であっても、最適なレーザパワーで光ディスクへのデータの書き込みを実行できる光ディスク装置を提供する。【解決手段】  データ書き込み開始時における光ディスクの記録面上でピットが形成されている最中の反射光レーザパワーを測定し、データ書き込み開始時における反射光レーザパワーにおいてピット形成開始から所定時間経過してほぼ一定の値となった時点での反射光レーザパワーの値を基準レベルとして設定し、ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、設定した基準レベルに常時一致するようにレーザパワーを制御する。【選択図】        図４
2006053970.tif 000002
【特許請求の範囲】
【請求項１】
光ディスクにデータ書き込み可能であって、
装着された光ディスクにレーザ光を照射するレーザダイオードと、光ディスクからの反射光を受光するフォトディテクタとを有する光ピックアップと、
前記フォトディテクタが受光した反射光レーザパワーを測定する測定手段と、
前記測定手段により測定された反射光レーザパワーに基づき、前記レーザダイオードの光ディスクに照射するレーザ光のレーザパワーを制御する制御手段とを具備する光ディスク装置において、
前記制御手段は、
データ書き込み開始時における光ディスクの記録面上でピットが形成されている最中の反射光レーザパワーを測定し、
該データ書き込み開始時における反射光レーザパワーにおいてピット形成開始から所定時間経過してほぼ一定の値となった時点での反射光レーザパワーの値を基準レベルとして設定し、
ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、前記設定した基準レベルに常時一致するように、レーザダイオードが光ディスクに照射するレーザ光のレーザパワーを制御することを特徴とする光ディスク装置。
【請求項２】
光ディスクにデータ書き込み可能であって、
装着された光ディスクにレーザ光を照射するレーザダイオードと、光ディスクからの反射光を受光するフォトディテクタとを有する光ピックアップと、
前記フォトディテクタが受光した反射光レーザパワーを測定する測定手段と、
前記測定手段により測定された反射光レーザパワーに基づき、前記レーザダイオードの光ディスクに照射するレーザ光のレーザパワーを制御する制御手段とを具備する光ディスク装置において、
前記制御手段は、
データ書き込み開始時における光ディスクの記録面上でピットが形成されている最中の反射光レーザパワーを測定し、
該データ書き込み開始時における反射光レーザパワーにおいてピット形成開始から所定時間経過してほぼ一定の値となった時点での反射光レーザパワーの値を基準レベルとして設定し、
ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、前記設定した基準レベルを挟んだ所定の範囲内に常時入るように、レーザダイオードが光ディスクに照射するレーザ光のレーザパワーを制御することを特徴とする光ディスク装置。
【請求項３】
光ディスクにデータ書き込み可能であって、
装着された光ディスクにレーザ光を照射するレーザダイオードと、光ディスクからの反射光を受光するフォトディテクタとを有する光ピックアップと、
前記フォトディテクタが受光した反射光レーザパワーを測定する測定手段と、
前記測定手段により測定された反射光レーザパワーに基づき、前記レーザダイオードの光ディスクに照射するレーザ光のレーザパワーを制御する制御手段とを具備する光ディスク装置において、
前記制御手段は、
ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、光ディスクの種類毎に予め決められた所定の範囲内に入るように、レーザダイオードが光ディスクに照射するレーザ光のレーザパワーを制御することを特徴とする光ディスク装置。
【請求項４】
前記所定の範囲は、上閾値と下閾値とで区切られた範囲であり、
前記上閾値および／または下閾値は、それぞれ異なる値を有する複数の閾値を有しており、
前記制御手段は、
反射光レーザパワーにおいてピット形成開始から所定時間経過してほぼ一定の値となった時点での反射光レーザパワーの値が、複数の閾値のうちのいずれかの値に一致したと判断した場合には、該反射光レーザパワーの値が閾値から外れるようにレーザダイオードが光ディスクに照射するレーザ光のレーザパワーを制御し、
その後、該反射光レーザパワーの値が前記一致した閾値に一致したと判断してもレーザダイオードが光ディスクに照射するレーザ光のレーザパワーの制御を行なわず、反射光レーザパワーの値が、未だ反射光レーザパワーの値と一致したと判断されていない閾値に一致したと判断した場合には、該反射光レーザパワーの値が該閾値から外れるようにレーザダイオードが光ディスクに照射するレーザ光のレーザパワーを制御することを特徴とする請求項３記載の光ディスク装置。
【発明の詳細な説明】
【技術分野】
【０００１】
本発明は、書き込み可能な光ディスクへデータを書き込むことができる光ディスク装置に関する。
【背景技術】
【０００２】
データを書き込むことができる光ディスクとして、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ等が知られている。
そして、このような光ディスクにデータ書き込み可能な光ディスク装置は、光ディスクへデータを書き込む前に、光ディスクの記録面の最内周に位置するテスト書き込みエリアであるＰＣＡ（Power Control Area)においてデータ書き込みテストであるＯＰＣ（Optimum Power Control）を行ない、データ書き込み時のレーザ光のパワーを適正な値となるように設定している。
【０００３】
以下、ＯＰＣ動作について説明する。
光ディスク装置は、まず光ディスクから光ディスク識別情報を読み出す。光ディスク識別情報とは、メーカ名、書き込み可能な倍速度、使用している色素の種類等の光ディスクに関する情報である。
光ディスク識別情報は、光ディスクを製造するメーカーにおいて、ＣＤであればＡＴＩＰ、ＤＶＤ＋であればＡＤＩＰ等と呼ばれるデータとして予め光ディスクに記録されている。
【０００４】
光ディスク装置は、光ディスクから読み出した光ディスク識別情報に基づいて、光ディスク装置内で予め設定してあるデータテーブルから初期レーザパワー値を読み出し、該初期レーザパワー値を中心として、レーザ光のパワーを徐々に変化させながらＰＣＡに試し書きを行なう。
試し書きしたデータは読み出され、読み出した光強度の波形の上下対照性（アシンメトリ：以下βと記す場合もある）を確認する。上下対照性の確認により、最も上下対照性の良い時点でのレーザパワーが、その光ディスクの最適レーザパワー値であるとして設定される。
光ディスク装置は、このＯＰＣによって設定された最適レーザパワー値で書き込み用のレーザ光を照射してデータを書き込んでいく。
【０００５】
しかし、光ディスクは、内周側と外周側とでは特性が異なっていることがあったり、内周側と外周側とでは温度が異なってくることもあるので、上記ＯＰＣで内周側で最適なレーザパワーを設定したとしても、書き込みが光ディスクの外周側に移行するにしたがって、最適なレーザパワーから外れてきてしまう場合もある。
そこで、データ書き込み中に光ディスクからの反射光を測定し、これに基づいてレーザパワーが適正値となるように調整する、いわゆるランニングＯＰＣ（ｒｕｎｎｉｎｇＯＰＣ：以下、ＲＯＰＣとする場合がある）という制御が行なわれてきた（例えば、特許文献１参照）。
【０００６】
以下、ＲＯＰＣの動作について説明する。
ＲＯＰＣは、ＯＰＣにおいて最適レーザパワー値を設定すると共に、最適レーザパワー値で光ディスク記録面上にピットを形成している最中の反射光を測定し、ピットがほぼ形成されつつあって反射光レーザパワーがほぼ一定となりつつある時点での反射光レーザパワーの値（Ｂレベルと呼ぶ：図２参照）を検出する。この検出されたＢレベルが基準値として設定される。
【０００７】
ＯＰＣにおいて、最適レーザパワー値と、基準値となるＢレベルとが設定されると、実際のデータ書き込み時には、最適レーザパワー値でレーザ光を出力しデータを書き込み始める。
そして、データを書き込んでいる最中の反射光レーザパワーを常に測定し、データ書き込み中の反射光レーザパワーのＢレベルが、常にＯＰＣで取得した基準値となるＢレベルと同じ値を保つようにレーザパワーを制御するのである。これがＲＯＰＣである。
このＲＯＰＣにより、光ディスクへのデータ書き込みが、安定した記録品位で行なうことができる。
【０００８】
【特許文献１】特開平６−７６２８８号公報
【発明の開示】
【発明が解決しようとする課題】
【０００９】
従来のように、ＯＰＣで得られたＢレベルを基準値として用いてＲＯＰＣを実行する場合には、例えば実際のデータ書き込み速度（倍速）をＯＰＣ時よりも速くしたような場合、ＯＰＣで得られたＢレベルの値が適正な値とは言えなくなり、レーザパワーが不足気味になってしまい記録品位が悪くなるという課題があった。
【００１０】
なお、ＯＰＣ時よりも実際のデータ書き込み速度（倍速）が速くなってしまう制御方法として、以下に２つの例を説明する。
１つ目は、ディスクの記録面を同心円状の複数のゾーンで区切り、そのゾーン内では一定の線速度でデータを書き込むＺＣＬＶ（Zone Constant Linear Velocity）という制御方法である。ＺＣＬＶでは、光ディスクの内周側のゾーンを低倍速で書き込むように制御し、外周側のゾーンでは高倍速で書き込むように制御しており、書き込み位置が光ディスクの外周側の異なるゾーンに移行するにしたがって、段階的に倍速を上げていき、光ディスク全体として書き込み速度を上げることができる。
【００１１】
２つ目は、光ディスクの内周側を角速度一定（ＣＡＶ）でデータを書き込み、光ディスクの外周側を線速度一定（ＣＬＶ）で書き込むＰＣＡＶ（Partial Constant Angular Velocity）という制御方法である。
このＰＣＡＶによれば、光ディスクの内周側では書き込みのパフォーマンスを下げ、光ディスクの外周側での高速書き込みが安定して行えるようになる。
【００１２】
このように、従来のＲＯＰＣによるレーザパワーの制御方式によれば、ＺＣＬＶやＰＣＡＶのように、光ディスクの外周側において書き込み速度（倍速）が変化するような場合にあっては、ＯＰＣで算出したＢレベルを基準としてレーザパワーを制御しても、光ディスクの外周側に移行するにしたがって倍速が変化しているために、ＯＰＣで得られたＢレベルが適正な値とは言えなくなり、最適なレーザパワーで制御しているとはいえず、記録品位が悪くなってしまうのである。
【００１３】
そこで、本発明の目的は、上記課題を解決すべくなされ、ＯＰＣ時とは異なる書き込み速度でデータ書き込みを行なうような場合、例えばＺＣＬＶやＰＣＡＶ等のように光ディスクの内周側と外周側とで倍速が異なってしまう場合であっても、最適なレーザパワーで光ディスクへのデータの書き込みを実行できる光ディスク装置を提供することにある。
【課題を解決するための手段】
【００１４】
本発明にかかる光ディスク装置によれば、光ディスクにデータ書き込み可能であって、装着された光ディスクにレーザ光を照射するレーザダイオードと、光ディスクからの反射光を受光するフォトディテクタとを有する光ピックアップと、前記フォトディテクタが受光した反射光レーザパワーを測定する測定手段と、前記測定手段により測定された反射光レーザパワーに基づき、前記レーザダイオードの光ディスクに照射するレーザ光のレーザパワーを制御する制御手段とを具備する光ディスク装置において、前記制御手段は、データ書き込み開始時における光ディスクの記録面上でピットが形成されている最中の反射光レーザパワーを測定し、該データ書き込み開始時における反射光レーザパワーにおいてピット形成開始から所定時間経過してほぼ一定の値となった時点での反射光レーザパワーの値を基準レベルとして設定し、ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、前記設定した基準レベルに常時一致するように、レーザダイオードが光ディスクに照射するレーザ光のレーザパワーを制御することを特徴としている。
この構成を採用することによって、ＯＰＣにおいて設定した基準レベルを用いてＲＯＰＣを行なうのではなく、実際にユーザデータエリアにおいて書き込んだデータの反射光に基づく基準レベルを算出してこの基準レベルに基づいてレーザパワーを制御するので、ＯＰＣ時よりも書き込み速度を速くしてデータ書き込みを行なうような場合でも、より現状に適したレーザパワーでデータ書き込みを安定して行なうことができる。また、ＺＣＬＶやＰＣＡＶ方式を採用している場合であっても、より最適なレーザパワーに近い値でのデータ書き込みが期待できる。
【００１５】
本発明にかかる光ディスク装置によれば、光ディスクにデータ書き込み可能であって、装着された光ディスクにレーザ光を照射するレーザダイオードと、光ディスクからの反射光を受光するフォトディテクタとを有する光ピックアップと、前記フォトディテクタが受光した反射光レーザパワーを測定する測定手段と、前記測定手段により測定された反射光レーザパワーに基づき、前記レーザダイオードの光ディスクに照射するレーザ光のレーザパワーを制御する制御手段とを具備する光ディスク装置において、前記制御手段は、データ書き込み開始時における光ディスクの記録面上でピットが形成されている最中の反射光レーザパワーを測定し、該データ書き込み開始時における反射光レーザパワーにおいてピット形成開始から所定時間経過してほぼ一定の値となった時点での反射光レーザパワーの値を基準レベルとして設定し、ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、前記設定した基準レベルを挟んだ所定の範囲内に常時入るように、レーザダイオードが光ディスクに照射するレーザ光のレーザパワーを制御することを特徴としている。
この構成によっても、ＯＰＣにおいて設定した基準レベルを用いてＲＯＰＣを行なうのではなく、実際にユーザデータエリアにおいて書き込んだデータの反射光に基づく基準レベルを算出してこの基準レベルに基づいてレーザパワーを制御するので、ＯＰＣ時よりも書き込み速度を速くしてデータ書き込みを行なうような場合でも、より現状に適したレーザパワーでデータ書き込みを安定して行なうことができる。また、ＺＣＬＶやＰＣＡＶ方式を採用している場合であっても、より最適なレーザパワーに近い値でのデータ書き込みが期待できる。
【００１６】
本発明にかかる光ディスク装置によれば、光ディスクにデータ書き込み可能であって、  装着された光ディスクにレーザ光を照射するレーザダイオードと、光ディスクからの反射光を受光するフォトディテクタとを有する光ピックアップと、前記フォトディテクタが受光した反射光レーザパワーを測定する測定手段と、前記測定手段により測定された反射光レーザパワーに基づき、前記レーザダイオードの光ディスクに照射するレーザ光のレーザパワーを制御する制御手段とを具備する光ディスク装置において、前記制御手段は、ユーザデータエリアにおけるデータ書き込み中においては、光ディスクの記録面上でピットが形成されている最中の反射光レーザパワーを測定手段に常時測定させ、ピット形成開始から所定時間経過してほぼ一定の値となった時点での反射光レーザパワーの値が、光ディスクの種類毎に予め決められた所定の範囲内に入るように、レーザダイオードが光ディスクに照射するレーザ光のレーザパワーを制御することを特徴としている。
この構成によれば、ＯＰＣにおいて設定した基準レベルを用いてＲＯＰＣを行なうのではなく、予め光ディスクの種類毎に実験または理論に基づき算出して光ディスク装置内に記憶してある所定の範囲に基づいてレーザパワーを制御するので、ＯＰＣ時よりも書き込み速度を速くしてデータ書き込みを行なうような場合でも、より現状に適したレーザパワーでデータ書き込みを安定して行なうことができる。また、ＺＣＬＶやＰＣＡＶ方式を採用している場合であっても、より最適なレーザパワーに近い値でのデータ書き込みが期待できる。
【００１７】
なお、前記所定の範囲は、上閾値と下閾値とで区切られた範囲であり、前記上閾値および／または下閾値は、それぞれ異なる値を有する複数の閾値を有しており、前記制御手段は、反射光レーザパワーにおいてピット形成開始から所定時間経過してほぼ一定の値となった時点での反射光レーザパワーの値が、複数の閾値のうちのいずれかの値に一致したと判断した場合には、該反射光レーザパワーの値が閾値から外れるようにレーザダイオードが光ディスクに照射するレーザ光のレーザパワーを制御し、その後、該反射光レーザパワーの値が前記一致した閾値に一致したと判断してもレーザダイオードが光ディスクに照射するレーザ光のレーザパワーの制御を行なわず、反射光レーザパワーの値が、未だ反射光レーザパワーの値と一致したと判断されていない閾値に一致したと判断した場合には、該反射光レーザパワーの値が該閾値から外れるようにレーザダイオードが光ディスクに照射するレーザ光のレーザパワーを制御することを特徴としてもよい。
これによれば、所定の範囲の上限値および下限値が光ディスクの半径方向の距離によって変化するような場合には、上限値および下限値を関数として記憶しておかなくともよく、予めこのような関数を算出する手間や、関数を用いてその都度上限値および下限値を算出する機能を省くことができる。
なお、本明細書中で所定の範囲において、その値が変化する場合に上限値・下限値という用語とし、その値が一定であるものは上閾値・下閾値という用語としている。
【発明の効果】
【００１８】
本発明にかかる光ディスク装置によれば、ＯＰＣ時とは異なる倍速でデータを書き込む場合であっても、より適切な値でのレーザパワーでデータ書き込みが行えるので、高い記録品位でデータ書き込みが行える。
【発明を実施するための最良の形態】
【００１９】
光ディスク装置においてＲＯＰＣ制御を行なう際に、ＯＰＣの時に得られたＢレベルを基準Ｂレベルとしてデータ書き込み中のレーザパワーを制御するのではなく、ユーザデータエリアで実際にデータを書き始めた際に得られたＢレベルを基準Ｂレベルとしてデータ書き込み中のレーザパワーを制御する。
【実施例１】
【００２０】
本発明の光ディスク装置の構成について、図１に基づいて説明する。
光ディスク装置２０は、光ディスク２１を装着するターンテーブル２３が設けられたスピンドルモータ２２と、光ディスク２１にレーザ光を照射すると共に光ディスク２１から反射されたレーザ光を受光する光ピックアップ２４とを具備している。
光ピックアップ２４は、レーザ光を出力するレーザダイオード（ＬＤ）２６と、受光素子であるフォトディテクタ（ＰＤ）２７とを有している。また、レーザ光を集光して光ディスクの記録層に焦点を合わせるための対物レンズ２８が光ピックアップ２４内には設けられている。
フォトディテクタ２７では、受光面で受けた光強度が電圧値に変換されて光ピックアップ２４の外部に設けられている制御手段３４に入力される。
【００２１】
また、光ピックアップ２４内のレーザダイオード２６が出力するレーザ光のレーザパワーは、レーザドライバ３６がレーザダイオード２６の駆動電流を制御することによって、調整可能となっている。
レーザダイオード２６は、光ディスク２１にデータを書き込む際には、レーザ光を、高出力のレーザパワーと低出力のレーザパワーとを、書き込むべきデータを２値化したデータに伴って交互に光ディスク２１に向けて照射する。高出力のレーザパワーが光ディスク２１の記録面に照射されると、光ディスク２１の色素層が変質し、ピットが形成される。また、低出力のレーザパワーが光ディスク２１の記録面に照射されると、光ディスク２１の色素層は変質せず、この部分がランドとなる。こうして、光ディスク２１には、ピットとランドが交互に形成される。
【００２２】
制御手段３４は、具体的には予め記憶されている制御プログラムに基づいて動作するＣＰＵ、ＲＯＭ、ＲＡＭ等から構成されている。
制御手段３４の機能について説明する。
制御手段３４は、制御プログラムに基づいて、各部材に制御信号を出力することで光ディスク装置２０全体の動作を統括制御する。
【００２３】
特に、本実施例の制御手段３４は、ＲＯＰＣ動作において、データの書き込み始めの反射光レーザパワーのＢレベルを基準Ｂレベルとして、以降の書き込みは反射光レーザパワーのＢレベルが基準Ｂレベルと一致するように、書き込み用のレーザ光のレーザパワーを制御するという動作を実行する。すなわち、制御手段３４は、光強度信号から反射光レーザパワーを測定する測定手段４２としての機能を有しており、また測定した結果（具体的には反射光レーザパワーのＢレベルの値）を記憶しておく記憶手段４４を有している。
【００２４】
また、制御手段３４は、光ピックアップ２４が光ディスク２１から読み出したデータを２値化して増幅するＲＦアンプとしての機能（図示せず）、ＲＦアンプ機能によって得られたＲＦ信号をＥＦＭ復調等するデコーダ３８としての機能を有している。デコード処理されて再生可能となったデータは、インターフェース部５０を介してホストコンピュータ等（図示せず）の外部機器に転送される。
【００２５】
インターフェース部５０を介してホストコンピュータ等の外部機器から入力された書き込み用のデータおよび光ディスク装置２０の動作を指示する各種コマンドは制御手段３４に入力される。制御手段３４内ではエンコーダ４０の機能を有しており、入力された書き込み用のデータはＥＦＭ変調等のエンコード処理が施されてレーザドライバ３６に出力される。
また、制御手段３４内に入力された各種コマンドは、制御手段３４によって解析される。そして制御手段３４は、光ディスク装置２０内の各部材に対してコマンド通りの動作が実行されるように制御信号を出力する。
【００２６】
なお、制御手段３４には、ＯＰＣ実行時に用いる初期レーザパワー値が、光ディスクの種類等の識別情報毎に予め設定されたデータテーブル４１が接続されている。データテーブル４１は、具体的にはＲＯＭ等のメモリによって構成されている。
【００２７】
ここで、光ディスクへのデータ書き込み中の反射光の形状と、Ｂレベルについて図２に基づいて説明する。
図２の上側に示すグラフは、横軸に時間をとり、縦軸に光ディスク２１に照射するレーザパワーの大きさをとったものである。図２の下側に示すグラフは、上側のグラフのようにレーザ光を光ディスク２１に照射した場合の反射光（戻り光）の受光レベルを示したものである。
【００２８】
光ディスク２１に対して、読み出し用レーザパワーから出力を上げて書き込み用レーザパワーでレーザ光を照射すると、照射開始時点では書き込み用レーザパワーのほぼ１００％が反射光として戻る（ａ）。これは、照射開始時点ではまだピットが形成されないためである。
そして、記録面にピットが形成されつつあると反射光レーザパワーは徐々に（２次曲線的に）減少していく（ｂ）。そして、書き込み用レーザパワーの照射が終わって（ｃ）、読み出し用レーザパワーでレーザ光が照射されると、反射光レーザパワーも読み出し用レーザパワーとほぼ同一の値となる。
ここでＢレベルとは、書き込み用レーザパワーでレーザ光が照射されているときにピットがほぼ完全に形成されて反射光レーザパワーがほぼ一定になったときの反射光レーザパワーの値である。
【００２９】
次に、本実施例のデータ書き込みの制御方法について、図３および図４に基づいて説明する。
図３では、まずＯＰＣ動作について説明している。
光ディスク装置２０内に光ディスク２１が装着されると、制御手段３４は、光ディスク２１内（ＡＴＩＰ、ＡＤＩＰ等）からディスク識別情報を取得する（ステップＳ１００）。
制御手段３４は、光ディスク２１の種類毎に予め設定されていたデータテーブル４１から初期レーザパワー値を読み出し、該初期レーザパワー値を中心として、レーザパワーを徐々に変化させながらＰＣＡに複数回、同一のテストデータを試し書きする（ステップＳ１０２）。
次に、制御手段３４は、書き込んだテストデータを全て読み出す(ステップＳ１０４)。
そして、制御手段３４は、読み出したテストデータのうち、最も記録品位の良好であった（予め設定してある目標のβ（上下対称性）に近い）データの書き込みレーザパワーを、基準レーザパワーとして記憶手段４４に記憶する（ステップＳ１０６）。
これで、ＯＰＣ動作は終了する。
【００３０】
図４に基づき、実際のデータ書き込み時の動作（ＲＯＰＣ動作）について説明する。
制御手段３４は、ＯＰＣによって求めた基準レーザパワーを記憶手段４４から読み出し、このレーザパワーが書き込み用レーザパワーとなるように、ユーザデータエリアでデータ書き込みを開始する（ステップＳ２００）。
すると、書き込み用レーザパワーのレーザ光が光ディスク２１の記録面に照射されピットが形成される（ステップＳ２０２）。すると、ステップＳ２０２とほぼ同時に光ディスク２１の記録面から書き込み用レーザ光が反射されてくる（ステップＳ２０６）。
この反射光を光ピックアップ２４内にあるフォトディテクタ２７が受光する（ステップＳ２０８）。
【００３１】
制御手段３４の測定手段４２は、フォトディテクタ２７が受光した反射光のレーザパワーを電圧値として測定する（ステップＳ２１０）。
そして、制御手段３４は、データ書き込み始めの数区間（ディスクの種類により異なる）の反射光レーザパワーにおけるＢレベル（図２参照）を基準Ｂレベルとして記憶手段４４に記憶する（ステップＳ２１２）。
【００３２】
制御手段３４は、データ書き込みをそのまま続行しつつ、ステップＳ２０２〜ステップＳ２０６〜ステップＳ２０８と同様に反射光を取得する（ステップＳ２１４）。
そして、制御手段３４は、データ書き込み中における反射光レーザパワーからＢレベルを測定する（ステップＳ２１６）。
【００３３】
制御手段３４は、ステップＳ２１６で測定されたＢレベルと、記憶手段４４内に記憶した基準Ｂレベルとを比較する。具体的には基準Ｂレベルを中心とした上限・下限からなる範囲が設けられており、Ｓ２１６で測定されたＢレベルがその範囲内にあるか否かを判定する（ステップＳ２１８）。
ステップＳ２１６で測定されたＢレベルが基準Ｂレベルの範囲外である場合は、制御手段３４は、現在データ書き込み中のＢレベルを基準Ｂレベルに近づけるように、レーザパワーを変更する制御をレーザドライバ３６によって行なう。具体的には、レーザパワー変更は、予め設定してある所定量分のパワーを上乗せまたは差し引くように操作することで行なわれる（ステップＳ２２０）。
ステップＳ２１６で測定されたＢレベルが基準Ｂレベルの範囲内である場合は、制御手段３４は、現在の書き込み用のレーザ光のレーザパワーをそのままの値で維持する（ステップＳ２２２）。
制御手段３４は、ステップＳ２１４〜ステップＳ２２２を、データ書き込みが終了するまで繰り返し実行する（ステップＳ２２４）。
【００３４】
なお、上述した実施例では、制御手段が、測定されたＢレベルが基準Ｂレベルの範囲内にあるかどうかを判定していた。
しかし、本発明は、この構成に限定されるものではなく、測定されたＢレベルが基準Ｂレベルに一致しているか否かを判定し、測定されたＢレベルが基準Ｂレベルに一致していれば現在の書き込み用のレーザ光のレーザパワーをそのままの値で維持し、現在データ書き込み中のＢレベルを基準Ｂレベルに一致させるように、レーザパワーを変更する制御を行なうようにしてもよい。
【実施例２】
【００３５】
以下、本発明の光ディスク装置の実施例２について説明する。図５に実施例２の内部構成を示す。
なお、上述した実施例１と同一の構成要素については図面上同一の符号を付し、説明を省略する場合もある。
【００３６】
本実施例の制御手段３４は、ＲＯＰＣ動作において、データの書き込みは書き込み中の反射光レーザパワーのＢレベルが、予め設定された所定の範囲内に位置するように、書き込み用のレーザ光のレーザパワーを制御するという動作を実行する。すなわち、制御手段３４は、光強度信号から反射光レーザパワーを測定する測定手段４２としての機能を有しており、また測定した結果（具体的には反射光レーザパワーのＢレベルの値）を記憶しておく記憶手段４４を有している。
【００３７】
なお、制御手段３４には、ＯＰＣ実行時に用いる初期レーザパワー値が光ディスクの種類等の識別情報毎に予め設定されたデータテーブル４１以外に、上述した反射光レーザパワーのＢレベルの所定の範囲を光ディスクの種類等の識別情報毎に予め設定したデータテーブル４６が接続されている。
データテーブル４１およびデータテーブル４６は、具体的にはＲＯＭ等のメモリによって構成されている。
【００３８】
データテーブル４６に記憶されている所定の範囲および反射光のレーザパワーのＢレベルとの関係を図６に示す。
制御手段３４は、書き込み中の反射光のレーザパワーのＢレベルが常に上限値と下限値とで区切られた所定の範囲内に入るように、レーザ光のレーザパワーを制御している。
図６に示したように、所定の範囲は、光ディスクの径方向の位置によって異なる。本実施例では、光ディスクの外周方向に向かうにしたがって所定の範囲自体も徐々に上昇（上限値と下限値の双方が上昇）している。さらに、光ディスクの外周方向に向かうにしたがって範囲の幅（上限値と下限値との差）も徐々に広がっている。
【００３９】
ただし、光ディスクの種類によっては、光ディスクの外周方向に向かうにしたがって所定の範囲自体が徐々に下降（上限値と下限値の双方が下降）したものであってもよく、光ディスクの外周方向に向かうにしたがって範囲の幅（上限値と下限値との差）も徐々に広がらなくともよい。
【００４０】
データテーブル４６に記憶されている所定の範囲は、光ディスクの種類毎にその範囲の上限値および下限値が所定の関数（図５ではｆ１（ｘ）〜ｆ６（ｘ））として記憶されている。ここで所定の関数とは、図６に示したように、横軸（ｘ軸）を光ディスクの半径方向の位置、縦軸（ｙ軸）を反射光レーザパワーのＢレベルの値とした場合にｙをｘの関数として表したものである。例えば、光ディスクの外周方向に向かうにしたがって、上限値および下限値が直線状に上昇する場合は、上限値および下限値はそれぞれｘの１次関数となる。
したがって、光ピックアップの現在書き込み中の位置が分かれば、その位置における所定範囲の上限値および下限値が所定の関数から算出することができるのである。
【００４１】
制御手段３４の概略動作を説明する。
図６に示すように、例えば、反射光レーザパワーのＢレベルが、所定の範囲内で徐々に上昇していき、上限値と同一の値になったと制御手段３４が判断した場合には（Ｐ１）、制御手段３４は反射光レーザパワーのＢレベルが予め決められた所定の値だけ下がるように、すなわちＬＤ２６が照射するレーザパワーを上げてＢレベルが下がるようにレーザドライバ３６を制御する。
その後も反射光レーザパワーのＢレベルが、所定の範囲内で徐々に上昇していき、上限値と同一の値になったと制御手段３４が判断した場合には（Ｐ２、Ｐ３）、制御手段３４は反射光レーザパワーのＢレベルが予め決められた所定の値だけ下がるように、すなわちＬＤ２６が照射するレーザパワーを上げてＢレベルが下がるようにレーザドライバ３６を制御する。
逆に、反射光レーザパワーのＢレベルが所定の範囲の下限値と同一の値になった場合には、制御手段３４は反射光のレーザパワーのＢレベルが予め決められた所定の値だけ上がるように、ＬＤ２６が照射するレーザパワーを下げてＢレベルが上がるようにレーザドライバ３６を制御する。
【００４２】
次に、本実施例のデータ書き込みの制御方法について、図７に基づいて説明する。
ただし、ＯＰＣ動作については、上述した実施例１と同様の動作であるので、以下ＲＯＰＣ動作についてのみ説明する。
【００４３】
制御手段３４は、ＯＰＣによって求めた基準レーザパワーを記憶手段４４から読み出し、このレーザパワーが書き込み用レーザパワーとなるように、ユーザデータエリアでデータ書き込みを開始する（ステップＳ３００）。
すると、書き込み用レーザパワーのレーザ光が光ディスク２１の記録面に照射されピットが形成される（ステップＳ３０２）。すると、ステップＳ３０２とほぼ同時に光ディスク２１の記録面から書き込み用レーザ光が反射されてくる（ステップＳ３０６）。
この反射光を光ピックアップ２４内にあるフォトディテクタ２７が受光する（ステップＳ３０８）。
【００４４】
制御手段３４の測定手段４２は、フォトディテクタ２７が受光した反射光のレーザパワーのＢレベルを電圧値として測定する（ステップＳ３１０）。
そして、制御手段３４は、ステップＳ３１０で得られたＢレベルと、データテーブル４６内に予め記憶されている所定範囲における上限値および下限値とを比較する（ステップＳ３１２）。
ステップＳ３１０で測定されたＢレベルが所定の範囲外である場合（図６で示したように上限値または下限値とＢレベルの値とが一致した場合）は、制御手段３４は、現在データ書き込み中のＢレベルを所定の範囲内に入るように、レーザパワーを変更する制御をレーザドライバ３６によって行なう。具体的には、レーザパワー変更は、予め設定してある所定量分のパワーを上乗せまたは差し引くように操作することで行なわれる（ステップＳ３１４）。
【００４５】
ステップＳ３１０で測定されたＢレベルが基準Ｂレベルの範囲内である場合は、制御手段３４は、現在の書き込み用のレーザ光のレーザパワーをそのままの値で維持する（ステップＳ３１５）。
制御手段３４は、ステップＳ３１２〜ステップＳ３１４を、データ書き込みが終了するまで繰り返し実行する（ステップＳ３１６）。
【実施例３】
【００４６】
次に、本発明の光ディスク装置の実施例３について説明する。図８に実施例３の内部構成を示す。
なお、上述した実施例１および実施例２と同一の構成要素については図面上同一の符号を付し、説明を省略する場合もある。
【００４７】
本実施例の制御手段３４は、ＲＯＰＣ動作において、データの書き込みは書き込み中の反射光レーザパワーのＢレベルが、予め設定された所定の範囲内に位置するように、書き込み用のレーザ光のレーザパワーを制御するという動作を実行する。すなわち、制御手段３４は、光強度信号から反射光レーザパワーを測定する測定手段４２としての機能を有しており、また測定した結果（具体的には反射光レーザパワーのＢレベルの値）を記憶しておく記憶手段４４を有している。
【００４８】
なお、制御手段３４には、ＯＰＣ実行時に用いる初期レーザパワー値が光ディスクの種類等の識別情報毎に予め設定されたデータテーブル４１以外に、上述した反射光レーザパワーのＢレベルの所定の範囲を光ディスクの種類等の識別情報毎に予め設定したデータテーブル４７が接続されている。
なお、本実施例でいう所定の範囲は、上閾値と下閾値とで区切られた範囲であり、上閾値および／または下閾値は、それぞれ異なる値を有する複数の閾値を有しているものである。また、ここでは上閾値のみが複数段階設けられており、下閾値は１つの値だけを有する場合を例として挙げている。したがって、データテーブル４７には、複数の上閾値と１つの下閾値とが、それぞれ光ディスクの種類毎に予め記憶されている。
なお、データテーブル４１およびデータテーブル４７は、具体的にはＲＯＭ等のメモリによって構成されている。
【００４９】
上述した実施例２と本実施例とでは、所定の範囲内に反射光のＢレベルの値が入るように制御する点では同一であるが、範囲の設定の方法が異なっている。
すなわち、図９に示すように、本実施例においては、光ディスクの種類毎に反射光レーザパワーのＢレベルの閾値を複数段階（閾値１〜閾値４）にわたって予め設けておき、データ書き込み中の反射光レーザパワーのＢレベルの値が複数段階の閾値のうちの最も低い値の閾値１に一致した場合（Ｑ１）には、制御手段３４はＢレベルが所定の値だけ下がるように、ＬＤ２６が照射するレーザパワーを上げてＢレベルの値を下げるようにレーザドライバ３６を制御する。
【００５０】
そして、反射光レーザパワーのＢレベルが徐々に上昇していき、先ほど一致した閾値１と値が一致したとしてもＢレベルの値を下げるように制御せず（Ｑ２）、次に２番目に低い値の閾値２にＢレベルが一致した場合には（Ｑ３）、制御手段３４はＢレベルが所定の値だけ下がるように、ＬＤ２６が照射するレーザパワーを上げてＢレベルの値を下げるようにレーザドライバ３６を制御する。
【００５１】
すなわち、本実施例の制御手段３４は、閾値を複数設け、そのうちの１つの閾値に反射光レーザパワーのＢレベルの値が一致した後は、再度同じ閾値とＢレベルの値が一致したとしてもそこからＢレベルの値を下げるように制御せず、未だ反射光レーザパワーのＢレベルと一致していない閾値とＢレベルの値が一致した場合のみレーザドライバ３６を制御するのである。
【００５２】
このように、上閾値および／または下閾値において閾値を複数設け、再度同じ閾値とＢレベルの値が一致したとしてもそこからＢレベルの値を下げるように制御しないようにしたことにより、反射光レーザパワーのＢレベルの値をディスク外周方向に向かうにしたがって徐々に上昇（または下降）させるようにできる。このとき、その範囲は実施例２のように上限値または下限値を徐々に上昇または下降させる必要があるため上限値および下限値を関数として算出しておく必要があったが、実施例３では関数を算出してこれを記憶しておかなくともよく、複数の閾値として記憶しておくだけで、Ｂレベルの値を徐々に上昇または下降させるような制御が可能となる。
【００５３】
次に、本実施例のデータ書き込みの制御方法について、図１０に基づいて説明する。
ただし、ＯＰＣ動作については、上述した実施例１と同様の動作であるので、以下ＲＯＰＣ動作についてのみ説明する。
【００５４】
制御手段３４は、ＯＰＣによって求めた基準レーザパワーを記憶手段４４から読み出し、このレーザパワーが書き込み用レーザパワーとなるように、ユーザデータエリアでデータ書き込みを開始する（ステップＳ４００）。
すると、書き込み用レーザパワーのレーザ光が光ディスク２１の記録面に照射されピットが形成される（ステップＳ４０２）。すると、ステップＳ４０２とほぼ同時に光ディスク２１の記録面から書き込み用レーザ光が反射されてくる（ステップＳ４０６）。
この反射光を光ピックアップ２４内にあるフォトディテクタ２７が受光する（ステップＳ４０８）。
【００５５】
制御手段３４の測定手段４２は、フォトディテクタ２７が受光した反射光のレーザパワーのＢレベルを電圧値として測定する（ステップＳ４１０）。
そして、制御手段３４は、ステップＳ４１０で得られたＢレベルと、データテーブル４６内に予め記憶されている所定範囲における上閾値および下閾値とを比較する（ステップＳ４１２）。ここで、少なくとも上閾値および下閾値のいずれか一方は複数の閾値を有しているものであり、制御手段３４は、上閾値および下閾値の複数の閾値のうち、Ｂレベルの値と未だ一致していない閾値とを比較する。つまり、上述したように、Ｂレベルの値が１度一致したと判断された閾値に対しては、Ｂレベルの値が当該閾値と一致するか否かの比較はしないのである。
【００５６】
ステップＳ４１０で測定されたＢレベルが所定の範囲外である場合（図９で示したように上閾値または下閾値のいずれかとＢレベルの値とが一致した場合）は、制御手段３４は、現在データ書き込み中のＢレベルを所定の範囲内に入るように、レーザパワーを変更する制御をレーザドライバ３６によって行なう。具体的には、レーザパワー変更は、予め設定してある所定量分のパワーを上乗せまたは差し引くように操作することで行なわれる（ステップＳ４１４）。
【００５７】
ステップＳ４１０で測定されたＢレベルが基準Ｂレベルの範囲内である場合は、制御手段３４は、現在の書き込み用のレーザ光のレーザパワーをそのままの値で維持する（ステップＳ４１５）。
制御手段３４は、ステップＳ４１２〜ステップＳ４１４を、データ書き込みが終了するまで繰り返し実行する（ステップＳ４１６）。
【００５８】
実施例３では、上閾値のみ複数の閾値を有するものについて説明してきたが、下閾値のみ複数の閾値を有していてもよく、上閾値および下閾値の双方が複数の閾値を有していてもよい。
【００５９】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００６０】
【図１】光ディスク装置の構成を示すブロック図である。
【図２】レーザパワーについて説明する説明図である。
【図３】データ書き込みの制御方法のうち、ＯＰＣ動作を説明するフローチャートである。
【図４】データ書き込みの制御方法のうち、ＲＯＰＣ動作を説明するフローチャートである。
【図５】光ディスク装置の実施例２の構成を示すブロック図である。
【図６】実施例２におけるデータテーブルに記憶されている所定の範囲と、反射光レーザパワーのＢレベルとの関係を示す説明図である。
【図７】実施例２のデータ書き込みの制御方法（ＲＯＰＣ）について説明するフローチャートである。
【図８】光ディスク装置の実施例３の構成を示すブロック図である。
【図９】実施例３におけるデータテーブルに記憶されている所定の範囲と、反射光レーザパワーのＢレベルとの関係を示す説明図である。
【図１０】実施例３のデータ書き込みの制御方法（ＲＯＰＣ）について説明するフローチャートである。
【符号の説明】
【００６１】
２０   光ディスク装置
２１   光ディスク
２２   スピンドルモータ
２３   ターンテーブル
２４   光ピックアップ
２６   レーザダイオード
２７   フォトディテクタ
２８   対物レンズ
３４   制御手段
３６   レーザドライバ
３８   デコーダ
４０   エンコーダ
４１，４６，４７     データテーブル
４２   測定手段
４４   記憶手段
５０   インターフェース部
【図１】
2006053970.tif 000003
【図２】
2006053970.tif 000004
【図３】
2006053970.tif 000005
【図４】
2006053970.tif 000006
【図５】
2006053970.tif 000007
【図６】
2006053970.tif 000008
【図７】
2006053970.tif 000009
【図８】
2006053970.tif 000010
【図９】
2006053970.tif 000011
【図１０】
2006053970.tif 000012